(57)【要約】【課題】通信内容の漏洩を防止する信頼性の高い通信システムを提供する。【解決手段】通信システム１は、送信装置と受信装置とを備え、送信装置は、送信すべき１つの情報を、何れか１つが欠けると１つの情報の一部も復元できない複数の部分情報に分割する情報分割手段１４Ａと、複数の部分情報の少なくとも１つを電磁波信号の１つである光信号により送信し、他の少なくとも１つを前記光信号とは異なる電磁波信号により送信する送信処理部とを備え、受信装置は、電磁波信号をそれぞれ受信し、受信した電磁波信号ごとに含まれる複数の部分情報を取得する受信処理部と、それぞれ取得した複数の部分情報を合成して、１つの情報を復元する情報復元手段３２Ｂとを備える。【選択図】図１
2009060341.tif 000002
【特許請求の範囲】
【請求項１】
送信装置と受信装置とを備える通信システムであって、
送信装置は、
１つの情報を、何れか１つが欠けると前記１つの情報の一部も復元できない複数の部分情報に分割する分割部と、
前記複数の部分情報の少なくとも１つを電磁波信号の１つである光信号により送信し、他の少なくとも１つを前記光信号とは異なる前記電磁波信号により送信する送信処理部とを備え、
受信装置は、
前記電磁波信号をそれぞれ受信し、受信した前記電磁波信号ごとに含まれる前記複数の部分情報を取得する受信処理部と、
それぞれ取得した前記複数の部分情報を合成して、前記１つの情報を復元する復元部とを備えることを特徴とする通信システム。
【請求項２】
請求項１に記載の通信システムにおいて、
前記１つの情報は２つの部分情報に分割され、
前記２つの部分情報の一方は前記光信号により送信されると共に、他方は電波信号により送信されることを特徴とする通信システム。
【請求項３】
請求項２に記載の通信システムにおいて、
前記光信号は、可視光領域に含まれる光を用いると共に、
前記電波信号は、パルス波を用いることを特徴とする通信システム。
【請求項４】
１つの情報が、何れか１つが欠けると前記１つの情報の一部も復元できない複数の部分情報に分割され、前記複数の部分情報の少なくとも１つが電磁波信号の１つである光信号により送信され、他の少なくとも１つが前記光信号とは異なる前記電磁波信号により送信された電磁波信号をそれぞれ受信し、受信した前記電磁波信号ごとに含まれる前記複数の部分情報を取得する受信処理部と、
それぞれ取得した前記複数の部分情報を合成して、前記１つの情報を復元する復元部とを備えることを特徴とする受信装置。
【請求項５】
１つの情報を、何れか１つが欠けると前記１つの情報の一部も復元できない複数の部分情報に分割する分割部と、
前記複数の部分情報の少なくとも１つを電磁波信号の１つである光信号により送信し、他の少なくとも１つを前記光信号とは異なる電磁波信号により送信する送信処理部とを備えることを特徴とする送信装置。
【請求項６】
１つの情報を、何れか１つが欠けると前記１つの情報の一部も復元できない複数の部分情報に分割する工程と、
前記複数の部分情報の少なくとも１つを電磁波信号の１つである光信号により送信し、他の少なくとも１つを前記光信号とは異なる前記電磁波信号により送信する工程と、
前記電磁波信号をそれぞれ受信し、受信した前記電磁波信号ごとに含まれる前記複数の部分情報を取得する工程と、
それぞれ取得した前記複数の部分情報を合成して、前記１つの情報を復元する工程とを備えることを特徴とする通信方法。
【請求項７】
送信装置と受信装置とを備える通信システムであって、
送信装置は、
何れか１つが欠けると１つの情報の一部も復元できないように分割された複数の部分情報が入力される入力部と、
前記複数の部分情報の少なくとも１つを電磁波信号の１つである光信号により送信し、他の少なくとも１つを前記光信号とは異なる前記電磁波信号により送信する送信処理部とを備え、
受信装置は、
前記電磁波信号をそれぞれ受信し、受信した前記電磁波信号ごとに含まれる前記複数の部分情報を取得する受信処理部と、
それぞれ取得した前記複数の部分情報を合成して、前記１つの情報を復元する復元部とを備えることを特徴とする通信システム。
【請求項８】
何れか１つが欠けると１つの情報の一部も復元できないように分割された複数の部分情報が入力される入力部と、
前記複数の部分情報の少なくとも１つを電磁波信号の１つである光信号により送信し、他の少なくとも１つを前記光信号とは異なる電磁波信号により送信する送信処理部とを備えることを特徴とする送信装置。
【請求項９】
何れか１つが欠けると１つの情報の一部も復元できないように分割された複数の部分情報が入力される工程と、
前記複数の部分情報の少なくとも１つを電磁波信号の１つである光信号により送信し、他の少なくとも１つを前記光信号とは異なる前記電磁波信号により送信する工程と、
前記電磁波信号をそれぞれ受信し、受信した前記電磁波信号ごとに含まれる前記複数の部分情報を取得する工程と、
それぞれ取得した前記複数の部分情報を合成して、前記１つの情報を復元する工程とを備えることを特徴とする通信方法。
【発明の詳細な説明】
【技術分野】
【０００１】
本発明は、複数の異なる電磁波信号により通信を行う通信システム、受信装置、送信装置および通信方法に関する。
【背景技術】
【０００２】
無線電波による通信機能と光による通信機能とを併せて搭載した通信装置は、下記特許文献１に示すように、光通信により相手との認証を行った後、無線通信により認証した相手との間で情報を授受した。
【０００３】
【特許文献１】特開２００３−７８４７５号公報
【発明の開示】
【発明が解決しようとする課題】
【０００４】
しかしながら、上記したような通信装置では、２系統の通信機能のうち、一方の光通信機能は相手側の認証のために使用し、相手とやり取りする情報は、専ら他方の無線通信機能を使用して授受することから、情報のデータを含む電波信号は、光信号と比べて広範囲に到達するため、容易に悪意の第三者に取得されやすく、通信内容の機密性の確保が困難であった。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる通信システムは、送信装置と受信装置とを備える通信システムであって、送信装置は、１つの情報を、何れか１つが欠けると前記１つの情報の一部も復元できない複数の部分情報に分割する分割部と、前記複数の部分情報の少なくとも１つを電磁波信号の１つである光信号により送信し、他の少なくとも１つを前記光信号とは異なる前記電磁波信号により送信する送信処理部とを備え、受信装置は、前記電磁波信号をそれぞれ受信し、受信した前記電磁波信号ごとに含まれる前記複数の部分情報を取得する受信処理部と、それぞれ取得した前記複数の部分情報を合成して、前記１つの情報を復元する復元部とを備えることを特徴とする。
【０００７】
このような構成によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割され、２つ以上の異なる電磁波信号によりそれぞれ送信されるため、情報を伝送する媒体が分散されることから、第三者による情報の取得が困難になる。従って、通信内容の漏洩を防止する信頼性の高い通信システムを提供できる。
【０００８】
［適用例２］
上記適用例にかかる通信システムにおいて、前記１つの情報は２つの部分情報に分割され、前記２つの部分情報の一方は前記光信号により送信されると共に、他方は電波信号により送信されても良い。
［適用例３］
上記適用例にかかる通信システムにおいて、前記光信号は、可視光領域に含まれる光を用いると共に、前記電波信号は、パルス波を用いても良い。
【０００９】
［適用例４］
本適用例にかかる受信装置は、１つの情報が、何れか１つが欠けると前記１つの情報の一部も復元できない複数の部分情報に分割され、前記複数の部分情報の少なくとも１つが電磁波信号の１つである光信号により送信され、他の少なくとも１つが前記光信号とは異なる前記電磁波信号により送信された電磁波信号をそれぞれ受信し、受信した前記電磁波信号ごとに含まれる前記複数の部分情報を取得する受信処理部と、それぞれ取得した前記複数の部分情報を合成して、前記１つの情報を復元する復元部とを備えることを特徴とする。
【００１０】
このような構成によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割され、２つ以上の異なる電磁波信号によりそれぞれ送信されるため、情報を伝送する媒体が分散されることから、第三者による情報の取得が困難になる。従って、通信内容の漏洩を防止する信頼性の高い受信装置を提供できる。
【００１１】
［適用例５］
本適用例にかかる送信装置は、１つの情報を、何れか１つが欠けると前記１つの情報の一部も復元できない複数の部分情報に分割する分割部と、前記複数の部分情報の少なくとも１つを電磁波信号の１つである光信号により送信し、他の少なくとも１つを前記光信号とは異なる前記電磁波信号により送信する送信処理部とを備えることを特徴とする。
【００１２】
このような構成によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割され、２つ以上の異なる電磁波信号によりそれぞれ送信されるため、情報を伝送する媒体が分散されることから、第三者による情報の取得が困難になる。従って、通信内容の漏洩を防止する信頼性の高い送信装置を提供できる。
【００１３】
［適用例６］
本適用例にかかる通信方法は、１つの情報を、何れか１つが欠けると前記１つの情報の一部も復元できない複数の部分情報に分割する工程と、前記複数の部分情報の少なくとも１つを電磁波信号の１つである光信号により送信し、他の少なくとも１つを前記光信号とは異なる前記電磁波信号により送信する工程と、前記電磁波信号をそれぞれ受信し、受信した前記電磁波信号ごとに含まれる前記複数の部分情報を取得する工程と、それぞれ取得した前記複数の部分情報を合成して、前記１つの情報を復元する工程とを備えることを特徴とする。
【００１４】
このような方法によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割され、２つ以上の異なる電磁波信号によりそれぞれ送信されるため、情報を伝送する媒体が分散されることから、第三者による情報の取得が困難になる。従って、通信内容の漏洩を防止する信頼性の高い通信方法を提供できる。
【００１５】
［適用例７］
送信装置と受信装置とを備える通信システムであって、送信装置は、何れか１つが欠けると１つの情報の一部も復元できないように分割された複数の部分情報が入力される入力部と、前記複数の部分情報の少なくとも１つを電磁波信号の１つである光信号により送信し、他の少なくとも１つを前記光信号とは異なる前記電磁波信号により送信する送信処理部とを備え、受信装置は、前記電磁波信号をそれぞれ受信し、受信した前記電磁波信号ごとに含まれる前記複数の部分情報を取得する受信処理部と、それぞれ取得した前記複数の部分情報を合成して、前記１つの情報を復元する復元部とを備えることを特徴とする通信システム。
【００１６】
このような構成によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割されて入力され、２つ以上の異なる電磁波信号によりそれぞれ送信されるため、情報を伝送する媒体が分散されることから、第三者による情報の取得が困難になる。従って、通信内容の漏洩を防止する信頼性の高い通信システムを提供できる。
【００１７】
［適用例８］
何れか１つが欠けると１つの情報の一部も復元できないように分割された複数の部分情報が入力される入力部と、前記複数の部分情報の少なくとも１つを電磁波信号の１つである光信号により送信し、他の少なくとも１つを前記光信号とは異なる電磁波信号により送信する送信処理部とを備えることを特徴とする送信装置。
【００１８】
このような構成によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割されて入力され、２つ以上の異なる電磁波信号によりそれぞれ送信されるため、情報を伝送する媒体が分散されることから、第三者による情報の取得が困難になる。従って、通信内容の漏洩を防止する信頼性の高い送信装置を提供できる。
【００１９】
［適用例９］
何れか１つが欠けると１つの情報の一部も復元できないように分割された複数の部分情報が入力される工程と、前記複数の部分情報の少なくとも１つを電磁波信号の１つである光信号により送信し、他の少なくとも１つを前記光信号とは異なる前記電磁波信号により送信する工程と、前記電磁波信号をそれぞれ受信し、受信した前記電磁波信号ごとに含まれる前記複数の部分情報を取得する工程と、それぞれ取得した前記複数の部分情報を合成して、前記１つの情報を復元する工程とを備えることを特徴とする通信方法。
【００２０】
このような方法によれば、光信号により通信可能なエリアは、見通し範囲内に限られることから、第三者による光信号の取得を容易に防げることに加え、１つの情報は、何れか１つが欠けると、１つの情報の一部も復元できないように複数の部分情報に分割されて入力され、２つ以上の異なる電磁波信号によりそれぞれ送信されるため、情報を伝送する媒体が分散されることから、第三者による情報の取得が困難になる。従って、通信内容の漏洩を防止する信頼性の高い通信方法を提供できる。
【発明を実施するための最良の形態】
【００２１】
以下、複数の通信装置により構成される通信システムについて、図面を参照して説明する。
【００２２】
（実施形態１）
図１は、通信システム１の機能構成を説明する図である。この通信システム１は、相手に伝える伝達情報を２つの部分情報に分割し、それぞれの部分情報を光信号と電波信号を介して相互間で通信する複数の通信装置１０を備える。図１では、説明および理解を容易にすべく、２台の通信装置１０Ａ，１０Ｂの場合を示す。また、これら２台の通信装置１０Ａ，１０Ｂは、同一の機能を有するため、代表して通信装置１０Ａについて説明する。
【００２３】
通信装置１０Ａは、情報入力手段１２Ａと、情報分割手段１４Ａと、光通信処理手段１６Ａと、電波通信処理手段２４Ａと、情報復元手段３２Ａと、情報出力手段３４Ａとを備える。また、光通信処理手段１６Ａは、光信号処理手段１８Ａと、光信号送信手段２０Ａと、光信号受信手段２２Ａとを備え、送信装置として機能すると共に、受信装置としても機能する。更に、電波通信処理手段２４Ａは、電波信号処理手段２６Ａと、電波信号送信手段２８Ａと、電波信号受信手段３０Ａとを備える。
情報入力手段１２Ａは、他方の通信装置１０Ｂに伝える伝達情報が入力される。ここで入力される伝達情報は、ドキュメントデータのように、電子データで示される情報である。このような情報は、例えば、通信装置１０Ａのユーザにより入力されても良い。この情報入力手段１２Ａに入力された伝達情報は、情報分割手段１４Ａに送られる。
【００２４】
情報分割手段１４Ａは、情報入力手段１２Ａから送られる他方の通信装置１０Ｂに伝える伝達情報を、何れか１つが欠けると伝達情報の一部も復元できない複数の部分情報に分割する。本実施形態１では、２つの部分情報への分割を想定すると共に、次のような分割を想定する。
（１）表示可能な画像の信号データを、表示画面の２方向の成分、例えば、水平同期信号（ＨＳＹＮＣ）成分と垂直同期信号（ＶＳＹＮＣ）成分に分割する。
（２）情報を示し、誤り制御が必要な２値化データを、情報の内容を示すデータとパリティチエックのためのパリティビットに分割する。
（３）情報をビット列で示す２値化データを、各ビット列における上位ビット成分と下位ビット成分に分割する。
（４）所望の情報を暗号化するアプリケーションソフトウェア等により、情報を暗号化し、暗号化されたデータと暗号を解除する暗号キーに分割する。
（５）周波数ホッピング方式により送信する情報を、情報の内容を示すデータとホッピングパターンに分割する。尚、周波数ホッピング方式とは、情報で変調された信号の搬送周波数を、直接拡散の時と同様の系列を用いて、与えられた帯域幅内をランダムかつ離散的に切り替え掃引することによってスペクトル拡散を実現することである。
【００２５】
上記のように２つに分割された部分情報の一方は、光通信処理手段１６Ａに送られ、他方は、電波通信処理手段２４Ａに送られる。ここで、光信号による通信は、光が投光される範囲でのみ通信が可能であるため、電波信号による通信に比べて通信の秘匿性が高い。従って、本実施形態１では、情報分割手段１４Ａは、２つに分割された部分情報の一方が、他方より秘匿性が高いと判断した場合、一方の部分情報を光通信処理手段１６Ａに送る。即ち、上記の場合、（４）の場合は、暗号キーが光通信処理手段１６Ａに送られ、（５）の場合は、ホッピングパターンが光通信処理手段１６Ａに送られ、それぞれの他方は、電波通信処理手段２４Ａに送られる。
【００２６】
光通信処理手段１６Ａは、光信号処理手段１８Ａと、光信号送信手段２０Ａと、光信号受信手段２２Ａとを備え、光通信に係る処理を行う。この中で、光信号処理手段１８Ａと光信号送信手段２０Ａは、分割された一方の部分情報を通信相手である通信装置１０Ｂに送信する一方の送信処理部であり、光信号処理手段１８Ａは、光信号で伝送する一方の部分情報に所定の変調を施して光信号を生成し、光信号送信手段２０Ａは、発光素子（図示は略す。）から通信装置１０Ｂに対して生成された光信号を送信する。
他方で、光信号処理手段１８Ａと光信号受信手段２２Ａは、通信相手である通信装置１０Ｂから送信された光信号を受信し、受信した光信号から一方の部分情報を取得する一方の受信処理部であり、光信号受信手段２２Ａに具備された受光素子（図示は略す。）に入射した光信号は、光信号処理手段１８Ａにおいて復調されることにより一方の部分情報が取得される。ここで取得された一方の部分情報は、情報復元手段３２Ａに送られる。
【００２７】
電波通信処理手段２４Ａは、電波信号処理手段２６Ａと、電波信号送信手段２８Ａと、電波信号受信手段３０Ａとを備え、電波による通信に係る処理を行う。この中で、電波信号処理手段２６Ａと電波信号送信手段２８Ａは、分割された他方の部分情報を通信相手である通信装置１０Ｂに送信する他方の送信処理部であり、電波信号処理手段２６Ａは、電波信号で伝送する他方の部分情報に所定の変調を施して電波信号を生成し、電波信号送信手段２８Ａは、生成された電波信号を通信装置１０Ｂに対して送信する。
他方で、電波信号処理手段２６Ａと電波信号受信手段３０Ａは、通信相手である通信装置１０Ｂから送信された電波信号を受信し、受信した電波信号から他方の部分情報を取得する他方の受信処理部であり、電波信号受信手段３０Ａが受信した電波信号は、電波信号処理手段２６Ａにおいて復調されることにより他方の部分情報が取得される。ここで取得された他方の部分情報は、情報復元手段３２Ａに送られる。尚、電波信号送信手段２８Ａと電波信号受信手段３０Ａは、通信装置１０Ａが具備するアンテナ（図示は略す。）を介して電波信号を授受する。
【００２８】
情報復元手段３２Ａは、光通信処理手段１６Ａおよび電波通信処理手段２４Ａからそれぞれ送られる分割された部分情報を合成して、他方の通信装置１０Ｂから伝えられた伝達情報を復元する。即ち、情報復元手段３２Ａは、情報分割手段１４Ａで施された部分情報への分割処理と逆の処理を施すことにより、分割される前の伝達情報を復元する。
情報出力手段３４Ａは、情報復元手段３２Ａにおいて復元された伝達情報が出力される。本実施形態１では、伝達情報は表示されて出力されるが、表示に限定されるものではない。
【００２９】
上述した通信装置１０Ａの各機能部は、図示を略したそれぞれの電子回路、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）等からなるハードウェア資源と、ＲＯＭ（Ｒｅａｄ  Ｏｎｌｙ  Ｍｅｍｏｒｙ）等に記憶された種々のソフトウェアとが有機的に協働することにより実現しても良い。
【００３０】
図２は、通信装置１０Ａ，１０Ｂにおいて、一方の通信装置１０Ａから他方の通信装置１０Ｂに情報が伝送される処理の流れを説明するフローチャートである。最初に、通信装置１０Ａ，１０Ｂが起動され、通信装置１０Ｂに送信するべき伝達情報が通信装置１０Ａの情報入力手段１２Ａに入力される（ステップＳ１００）。続いて、通信装置１０Ａの情報分割手段１４Ａは、入力された伝達情報を２つの部分情報に分割する（ステップＳ１０２）。次に、通信装置１０Ａの光通信処理手段１６Ａは、分割された一方の部分情報を通信装置１０Ｂに対して光信号で送信する（ステップＳ１０４）。
【００３１】
他方で、通信装置１０Ｂは、起動された後、通信装置１０Ａからの光信号を受信する状態に遷移し（ステップＳ１１０）、通信装置１０Ａからの光信号を受信できるまで待機する（ステップＳ１１０でＮｏ）。ここで通信装置１０Ｂは、通信装置１０Ａからの光信号の受信を確認した場合（ステップＳ１１０でＹｅｓ）、光信号受信手段２２Ｂは、通信装置１０Ａから送信された光信号を受信する（ステップＳ１１２）。次いで、光信号送信手段２０Ｂは、光信号を受信した確認を示す受信確認信号を通信装置１０Ａに対して送信する（ステップＳ１１３）。
ここで、通信装置１０Ａは、通信装置１０Ｂからの光信号の受信確認信号を受信する状態に遷移しており（ステップＳ１０５）、この受信確認信号を受信できるまで待機している（ステップＳ１０５でＮｏ）。ここで通信装置１０Ａが通信装置１０Ｂからの受信確認信号の受信を確認した場合（ステップＳ１０５でＹｅｓ）、通信装置１０Ａの電波通信処理手段２４Ａは、分割された他方の部分情報を通信装置１０Ｂに対して電波信号で送信する（ステップＳ１０６）。尚、本実施形態１では、光信号の受信を受信確認信号で確認した後に電波信号を送信するが、受信確認信号の授受による受信確認は行わず、タイマー等により所定の時間を置いて電波信号を送信する処理であっても良い。
【００３２】
続いて、光信号処理手段１８Ｂは、受信した光信号から一方の部分情報を取得した（ステップＳ１１４）後、通信装置１０Ｂからの電波信号を受信する状態に遷移し（ステップＳ１１６）、電波信号を受信できるまで待機する（ステップＳ１１６でＮｏ）。ここで通信装置１０Ｂが通信装置１０Ａからの電波信号の受信を確認した場合（ステップＳ１１６でＹｅｓ）、電波信号受信手段３０Ｂは、通信装置１０Ａから送信された電波信号を受信する（ステップＳ１１７）。続いて、電波信号処理手段２６Ｂは、受信した電波信号から他方の部分情報を取得する（ステップＳ１１８）。尚、前記したように、光信号と電波信号を同時に受信し、それぞれの信号からそれぞれの情報を並列して取得しても良い。次に、通信装置１０Ｂの情報復元手段３２Ｂは、光信号および電波信号から取得した２つの部分情報を合成し、情報入力手段１２Ａに入力された伝達情報を復元する（ステップＳ１２０）。続いて、通信装置１０Ｂの情報出力手段３４Ｂは、復元された情報を表示する（ステップＳ１２２）。
以上述べた処理により、通信装置１０Ａは、入力された伝達情報を２つの部分情報に分割した後、それぞれを光信号と電波信号で通信装置１０Ｂに送信すると共に、通信装置１０Ｂは、受信した光信号を電波信号から入力された伝達情報を復元し、復元した伝達情報を出力する。
【００３３】
図３は、複数の通信装置１０Ａ，１０Ｂ，１０Ｃ，１０Ｄによる通信システム１の適用例を示す。この中で、通信装置１０Ａ，１０Ｂ，１０Ｃは、遮光性を有する壁８２で区画された領域内であって、それぞれが光信号により通信可能な位置に配置されている。更に、通信装置１０Ａ，１０Ｂ，１０Ｃは、何れも通信装置１０Ａ，１０Ｂ，１０Ｃの電波信号到達エリア８５内に配置されているため、電波信号においても通信可能である。従って、通信装置１０Ａ，１０Ｂ，１０Ｃ間は、光信号による通信および電波信号による通信が共に可能であるため、伝達情報を互いに授受できる。
他方で、通信装置１０Ｄは、通信装置１０Ａ，１０Ｂ，１０Ｃの電波信号到達エリア８５内に配置されているため、電波信号による通信は可能である。しかしながら、通信装置１０Ｄと、他の通信装置１０Ａ，１０Ｂ，１０Ｃとは、壁８２により遮蔽されているため、通信装置１０Ｄは、他の通信装置１０Ａ，１０Ｂ，１０Ｃと光信号により通信できない。従って、通信装置１０Ｄは、２つに分割された部分情報のうち、光信号により送信される一方の部分情報を受信できないことから、伝達情報に復元できないため、他の通信装置１０Ａ，１０Ｂ，１０Ｃから送られる伝達情報を取得できない。
【００３４】
このように、送信すべき伝達情報を、何れか１つが欠けると一部も復元できない２つの部分情報に分割し、一方の部分情報を光信号で授受し、他方の部分情報を電波信号で授受することで、視認範囲外の第三者に対して伝達情報の漏洩を防止できる。更に、光通信および電波通信のそれぞれのメリット、例えば、伝送レートの高速化、同期の高速化による消費電力の低減および通信の信頼性の向上を享受できる。
【００３５】
（実施形態２）
次に、本発明の実施形態２について、図４を参照して説明する。尚、以下の説明では、既に説明した部分と同じ部分については、同一符号を付してその説明を省略する。実施形態１では情報分割手段１４Ａを備え、情報分割手段１４Ａが情報入力手段１２Ａから送られる他方の通信装置１０Ｂに伝える伝達情報を、何れか１つが欠けると伝達情報の一部も復元できない複数の部分情報に分割したが、本実施形態２では、予め分割された複数の部分情報が情報入力手段１２Ａに入力される。例えば、前記した画像の信号データでは、水平同期信号成分と垂直同期信号成分とがそれぞれ入力される。このような実施形態２においても、実施形態１と同様な効果を奏する。
【００３６】
本発明の実施形態について、図面を参照して説明したが、具体的な構成は、これらの実施形態１および２に限られるものではなく、本発明の要旨を逸脱しない範囲の設計変更等も含まれる。例えば、電磁波信号は光信号と電波信号の２つに限定されるものでは無く、３つ以上でも良い。また、通信装置１０は、送信機能と受信機能を共に備えた様態ではなく、一方が受信機能のみを有し、他方が送信機能のみを有した様態であっても良い。また、通信装置１０間は、最初に伝送による遅延時間が少ない光信号を送信し、次いで電波信号を送信したが、これらの信号は同時に送信されても良い。
【図面の簡単な説明】
【００３７】
【図１】実施形態１に係る通信システムの機能構成を説明する図。
【図２】一方の通信装置から他方の通信装置に情報が伝送される処理の流れを説明するフローチャート。
【図３】複数の通信装置による通信システムの適用例を示す図。
【図４】実施形態２に係る通信システムの機能構成を説明する図。
【符号の説明】
【００３８】
１…通信システム、１０，１０Ａ，１０Ｂ，１０Ｃ，１０Ｄ…通信装置、１２Ａ，１２Ｂ…情報入力手段、１４Ａ，１４Ｂ…情報分割手段、１６Ａ，１６Ｂ…光通信処理手段、１８Ａ，１８Ｂ…光信号処理手段、２０Ａ，２０Ｂ…光信号送信手段、２２Ａ，２２Ｂ…光信号受信手段、２４Ａ，２４Ｂ…電波通信処理手段、２６Ａ，２６Ｂ…電波信号処理手段、２８Ａ，２８Ｂ…電波信号送信手段、３０Ａ，３０Ｂ…電波信号受信手段、３２Ａ，３２Ｂ…情報復元手段、３４Ａ，３４Ｂ…情報出力手段、８２…壁、８５…電波信号到達エリア。
【図１】
2009060341.tif 000003
【図２】
2009060341.tif 000004
【図３】
2009060341.tif 000005
【図４】
2009060341.tif 000006